(57)【要約】【課題】異物の詰まりが生じた場合にその異物を容易に取り除くことができ、排出機能の早期復元を可能とすることができる汚水排出装置を提供すること。【解決手段】側壁に複数の流出孔１１を形成して成る汚水流入部１０の上下にモータケース１５とポンプケース４をそれぞれ取り付け、前記モータケース１５内に収容された電動モータ１６によって回転駆動される主軸（駆動軸）２２を前記汚水流入部１０を貫通して前記ポンプケース４まで延設し、該主軸２２の前記ポンプケース４に臨む下端部にインペラ２３を取り付けて成る汚水排出装置１において、前記電動モータ１６とモータケース１５を含んでモータユニット１４を構成し、該モータユニット１４を前記汚水流入部１０及びポンプケース４に対して着脱可能に取り付ける。【選択図】図１
2005126976.tif 000002
【特許請求の範囲】
【請求項１】
側壁に複数の流出孔を形成して成る汚水流入部の上下にモータケースとポンプケースをそれぞれ取り付け、前記モータケース内に収容されたモータによって回転駆動される駆動軸を前記汚水流入部を貫通して前記ポンプケースまで延設し、該駆動軸の前記ポンプケースに臨む下端部にインペラを取り付けて成る汚水排出装置において、
前記モータとモータケースを含んでモータユニットを構成し、該モータユニットを前記汚水流入部及びポンプケースに対して着脱可能に取り付けたことを特徴とする汚水排出装置。
【請求項２】
前記駆動軸を内外２重軸で構成し、外軸を前記モータユニット側に設け、前記モータの回転を前記外軸を経て内軸に伝達するとともに、内軸を残してモータユニットを上方へ引き抜き可能に構成したことを特徴とする請求項１記載の汚水排出装置。
【請求項３】
前記内軸の前記汚水流入部に臨む部位にカッターを取り付け、同内軸の前記ポンプケースに臨む下端部にインペラを取り付けたことを特徴とする請求項２記載の汚水排出装置。
【請求項４】
側壁に複数の流出孔を形成して成る汚水流入部と、モータを内蔵するモータ部及びインペラを内蔵するポンプ部を上下方向に配してポンプ本体を構成し、前記モータによって前記インペラを回転駆動して前記汚水流入部を通過した汚水を前記ポンプ部の吐出ノズルから外部に排出する汚水排出装置において、
前記吐出ノズルをその途中で２分割し、該吐出ノズルのポンプ本体側に属する部分をポンプ本体と共に他の部分に対して上方へ引き抜き可能に構成したことを特徴とする汚水排出装置。
【請求項５】
前記吐出ノズルの分割面を斜面とし、分割面間にシール部材を介設したことを特徴とする請求項４記載の汚水排出装置。
【請求項６】
前記ポンプ本体の外周部に係合部を形成し、該係合部を垂直に立設されたガイドバーに係合せしめ、該ガイドバーに沿ってポンプ本体を上方へ引き抜き可能に構成したことを特徴とする請求項４又は５記載の汚水排出装置。
【発明の詳細な説明】
【技術分野】
【０００１】
本発明は、水洗トイレや洗面台から汚水タンクに流入する汚水をポンプアップして外部に強制的に排出するための汚水排出装置に関するものである。
【背景技術】
【０００２】
住宅建設においては、着工前に設計図に盛り込まれた箇所にしか排水管が設置されず、従って、トイレや洗面台の設置箇所は限定されていた。
【０００３】
これに対して、上記制約を排除するため、近年、ＳＩ（Skeleton Infilling）住宅なる構想が注目されつつある。この構想は、従来の考えから抜け出し、“Skeleton（骨組）の中の固定された箇所から自由に間取りを決め、Infilling （内部建材）を配置する”という考えである。
【０００４】
ところで、上記構造を実現する場合、トイレや洗面台の排水管が存在しないため、トイレや洗面台からの排水（汚水）には、小型ポンプを用いた汚水排出装置による強制排出が必要になる。
【０００５】
上記汚水排出装置に関しては種々提案がなされており（例えば、特許文献１参照）、側壁に複数の流出孔を形成して成る汚水流入部と、モータを内蔵するモータ部及びインペラを内蔵するポンプ部を上下方向に配してポンプ本体を構成し、前記モータによって前記インペラを回転駆動して前記汚水流入部を通過した汚水を前記ポンプ部の吐出ノズルから外部に排出する形式のものが知られている。
【０００６】
斯かる汚水排出装置には、異物がポンプ部に詰まって排出不能となる事態の発生を防ぐため、駆動軸に簡便なカッターを取り付け、このカッターをインペラと共に回転させて異物を粉砕するようにしている。
【０００７】
【特許文献１】特開２００３−８２７２４号公報
【発明の開示】
【発明が解決しようとする課題】
【０００８】
しかしながら、ハンカチ等の異物を便器等に誤って落としてしまった場合、この異物は汚水排出装置へと送られるが、該汚水排出装置に設けられたカッターではハンカチ等の異物を切断することは構造的にも動力的にも不可能であるため、ハンカチ等が駆動軸に巻き付いてインペラの回転を阻害し、汚水の正常な排出が不可能となる可能性があった。
【０００９】
本発明は上記問題に鑑みてなされたもので、その目的とする処は、異物の詰まりが生じた場合にその異物を容易に取り除くことができ、排出機能の早期復元を可能とすることができる汚水排出装置を提供することにある。
【課題を解決するための手段】
【００１０】
上記目的を達成するため、請求項１記載の発明は、側壁に複数の流出孔を形成して成る汚水流入部の上下にモータケースとポンプケースをそれぞれ取り付け、前記モータケース内に収容されたモータによって回転駆動される駆動軸を前記汚水流入部を貫通して前記ポンプケースまで延設し、該駆動軸の前記ポンプケースに臨む下端部にインペラを取り付けて成る汚水排出装置において、前記モータとモータケースを含んでモータユニットを構成し、該モータユニットを前記汚水流入部及びポンプケースに対して着脱可能に取り付けたことを特徴とする。
【００１１】
請求項２記載の発明は、請求項１記載の発明において、前記駆動軸を内外２重軸で構成し、外軸を前記モータユニット側に設け、前記モータの回転を前記外軸を経て内軸に伝達するとともに、内軸を残してモータユニットを上方へ引き抜き可能に構成したことを特徴とする。
【００１２】
請求項３記載の発明は、請求項２記載の発明において、前記内軸の前記汚水流入部に臨む部位にカッターを取り付け、同内軸の前記ポンプケースに臨む下端部にインペラを取り付けたことを特徴とする。
【００１３】
請求項４記載の発明は、側壁に複数の流出孔を形成して成る汚水流入部と、モータを内蔵するモータ部及びインペラを内蔵するポンプ部を上下方向に配してポンプ本体を構成し、前記モータによって前記インペラを回転駆動して前記汚水流入部を通過した汚水を前記ポンプ部の吐出ノズルから外部に排出する汚水排出装置において、前記吐出ノズルをその途中で２分割し、該吐出ノズルのポンプ本体側に属する部分をポンプ本体と共に他の部分に対して上方へ引き抜き可能に構成したことを特徴とする。
【００１４】
請求項５記載の発明は、請求項４記載の発明において、前記吐出ノズルの分割面を斜面とし、分割面間にシール部材を介設したことを特徴とする。
【００１５】
請求項６記載の発明は、請求項４又は５記載の発明において、前記ポンプ本体の外周部に係合部を形成し、該係合部を垂直に立設されたガイドバーに係合せしめ、該ガイドバーに沿ってポンプ本体を上方へ引き抜き可能に構成したことを特徴とする。
【発明の効果】
【００１６】
請求項１〜３記載の第１発明によれば、モータユニットを汚水流入部及びポンプケースに対して着脱可能に取り付けたため、カッター等にハンカチ等の異物が巻き付いた場合には、モータユニットだけを上方へ引き抜くことができ、これによって開放された汚水流入部内に上方から手を差し込んで、カッター等に巻き付いたハンカチ等の異物を容易に取り除くことができ、当該汚水排出装置の排出機能を早期に復元することができる。
【００１７】
又、請求項４〜６記載の第２発明によれば、吐出ノズルをその途中で２分割し、該吐出ノズルのポンプ本体側に属する部分をポンプ本体と共に他の部分に対して上方へ引き抜き可能に構成したため、カッター等にハンカチ等の異物が巻き付いた場合には、ポンプ本体を上方へ引き抜くことができる。そして、引き抜いたポンプ本体の流入口からカッター等に巻き付いたハンカチ等の異物を容易に取り除くことができるため、当該汚水排出装置の排出機能を早期に復元することができる。
【発明を実施するための最良の形態】
【００１８】
以下に本発明の実施の形態を添付図面に基づいて説明する。
【００１９】
［第１発明］
図１は第１発明に係る汚水排出装置の縦断面図である。
【００２０】
図示の汚水排出装置１は、矩形ボックス状の汚水タンク２内に設置されており、上方が開口する樹脂製の有底円筒状のハウジング３を備えている。このハウジング３の下端部にはポンプケース４が一体に形成されており、該ポンプケース４の下端面には底板５が複数のビス６によって取り付けられており、この底板５の中央部には円孔状の吸入口７が開口している。又、ポンプケース４の側部には、該ポンプケース４内のポンプ室８に連通する吐出ノズル９が外側方に向かって一体に形成されており、この吐出ノズル９には不図示の排水管の一端が接続されており、該排水管の他端は不図示の下水道や浄化槽に接続されている。
【００２１】
そして、ハウジング３の前記ポンプケース４の上方の円筒状部分は汚水流入部１０を構成しており、その側壁には円孔状の複数の流出孔１１と１つの円孔状の流入口１２が形成されている。尚、流入口１２には、不図示の便器等から斜め下方に傾斜して導出する不図示の接続管が接続されている。
【００２２】
又、ハウジング３の前記汚水流入部１０の上方の円筒状部分はモータハウジング１３を構成しており、このモータハウジング１３内にはモータユニット１４が着脱可能（上方へ引き抜き可能）に収容されている。
【００２３】
上記モータユニット１４は、アルミ鋳造によって有底円筒状に一体成形されたモータケース１５内に電動モータ１６を収容して構成されており、モータケース１５の上面には蓋部材１７が複数のボルト１８によって被着されている。そして、モータケース１５内の中心部には、ＳＵＳ４０３製の外軸としての中空軸１９が上下の軸受２０，２１によって回転自在に支承されて垂直に配されており、この中空軸１９の内部には、内軸としてのＳＵＳ３０４製の主軸２２が挿通している。尚、主軸２２と中空軸１９とは内外２重軸を構成している。
【００２４】
前記主軸２２は、前記汚水流入部１０及びポンプケース４の中心部を貫通してポンプ室８まで下方に延び、そのポンプ室８内に臨む下端部にはインペラ２３がナット２４によって取り付けられている。尚、中空軸１９がモータケース１５を貫通する部位（軸貫通部）と主軸２２がポンプケース４を貫通する部位（軸貫通部）は、オイルシール２５，２６によってそれぞれシールされている。
【００２５】
又、主軸２２の汚水流入部１０内に臨む部位の下端部には逆皿状のミキサー２７が取り付けられており、このミキサー２７の上面にはカッター２８が複数のビス２９によって取り付けられている。
【００２６】
ところで、前記主軸２２は大小異径に形成され、上半部（モータケース１５内に臨む部位）２２ａは小径に、それよりも下方の下半部２２ｂは大径に形成されている。そして、この主軸２２の中間高さ位置（上半部２２ａと下半部２２ｂとの接続部分）には円錐台状のテーパ部２２ｃが形成されており、このテーパ部２２ｃには中空軸１９の下端内径部がテーパ嵌合によって密着している。
【００２７】
又、中空軸１９と主軸２２の前記蓋部材１７を貫通して上方へ延びる上端部にはアダプタ３０が嵌合しており、これらの中空軸１９と主軸２２の上端部同士は、主軸２２の上端部に螺合するナット３１によって締め付けられて連結されている。そして、蓋部材１７の上方へ突出する中空軸１９と主軸２２の上端部とアダプタ３０及びナット３１は、複数のボルト３２によって蓋部材１７の上面に被着されたキャップ３３によって覆われている。又、蓋部材１７の上面には、起倒自在な把手３４が取り付けられている。
【００２８】
他方、モータケース１５の下面には、アルミ鋳造製のモータケース１５の汚水による腐食を防ぐための樹脂製のカバー３５が複数のビス３６によって取り付けられている。そして、このカバー３５の中心部には下方に延びる円筒状のガイド筒３５ａが一体に形成されており、このガイド筒３５ａは、図示のように主軸２２の一部を覆っている。又、カバー３５の外周縁に形成されたフランジ部ｂの下面には断面半円状の突起３５ｃがリング状に突設されており、ハウジング３内の中間段部３ａ上に設置された弾性体から成るシールリング３７にカバー３５の前記突起３５ｃが当接することによって、モータハウジング１３内が汚水流入部１０を流れる汚水に対して確実にシールされている。
【００２９】
而して、当該汚水排出装置１は、その全体を前記汚水タンク２内に収容し、ハウジング３の上端外周に形成されたフランジ部３ｂを複数のボルト３８によって汚水タンク２に取り付けることによって設置され、モータユニット１４は、モータケース１５の上端外周に形成されたフランジ部１５ａを複数のボルト３９によってハウジング３のフランジ部３ｂに取り付けることによってハウジング３に固定されている。
【００３０】
次に、以上の構成を有する汚水排出装置１の作用について説明する。
【００３１】
例えば、便器からの汚水は、不図示の接続管の傾斜に沿って汚水タンク２内の汚水排出装置１に流れ込む。汚水排出装置１においては、電動モータ１６が駆動されており、該電動モータ１６の回転は中空軸１９を介して主軸２２に伝達され、該回転軸２２が回転駆動されてカッター２８が汚水流入部１０内で回転するとともに、インペラ２３がポンプ室８内で回転する。
【００３２】
而して、汚水排出装置１に流れ込んだ汚水は、汚水流入部１０の側壁に開口する流入口１２から汚水流入部１０内へと流れ込み、これに含まれる大便等の異物は、回転するカッター２８によって細かく粉砕され、汚水と共に複数の流出口１１から汚水タンク２内へと流出する。そして、流出した異物を含む汚水は、ポンプ室８内で回転するインペラ２３のポンプ作用によって吸入口７からポンプ室８内へと吸引され、インペラ２３によって昇圧された後に吐出ノズル９へと排出され、該吐出ノズル９に接続された不図示の排水管を経て不図示の下水道や浄化槽へと送られる。
【００３３】
ところで、誤ってハンカチ等の異物を便器に落としてしまった場合、このハンカチ等の異物はカッター２８で切断することができないため、この異物がカッター２８やミキサー２７等に巻き付いてインペラ２３の回転を阻害し、汚水の正常な排出が不可能となる可能性がある。
【００３４】
而して、本実施の形態に係る汚水排出装置１では、上記のような事態が発生した場合には、モータユニット１４を上方へ引き抜き、カッター２８やミキサー２７等に巻き付いたハンカチ等の異物を容易に取り除くことができる。
【００３５】
即ち、モータユニット１４を上方へ引き抜くためには、先ず、ボルト３２を取り外してキャップ３３を蓋部材１７から取り外した後、ナット３１とアダプタ３０を取り外して中空軸１９と主軸２２との連結を解除する。その後、ボルト３９を取り外してモータユニット１４のハウジング３への取り付けを解除すれば、図２に示すように、把手３４を持ってモータユニット１４をそのまま上方へ引き抜くことができる。このとき、中空軸１９が主軸２２に対して引き抜かれ、主軸２２はそのままハウジング３側へ残る。
【００３６】
そして、モータユニット１４を完全に引き抜くと、図３に示すように、ハウジング３内が開放されるため、該ハウジング３内に上方から手を入れ、汚水流入部１０内においてカッター２８やミキサー２７等に巻き付いたハンカチ等の異物を容易に取り除くことができる。
【００３７】
上述のようにして異物を取り除いた後は、以上とは逆の手順でモータユニット１４をハウジング３内に収容してこれを固定することによって、当該汚水排出装置１を再び正常に使用することができる。
【００３８】
以上のように、本実施の形態では、電動モータ１６、モータケース１５、中空軸１９等を含んでモータユニット１４を構成し、該モータユニット１４をハウジング３に対して上方へ引き抜くことができるよう構成したため、カッター２８やミキサー２７等に巻き付いたハンカチ等の異物を容易に取り除くことができ、当該汚水排出装置１の排出機能を早期に復元することができる。
【００３９】
又、モータユニット１４を取り外した後にカッター２８からハンカチ等の異物を除去するため、カッター２８が誤って作動することがなく安全である。
【００４０】
［第２発明］
次に、第２発明を図４〜図７に基づいて説明する。
【００４１】
図４は第２発明に係る汚水排出装置の断面図、図５は図４のＡ部拡大詳細図、図６は図４のＢ−Ｂ線断面図、図７はポンプ本体の引き抜き動作を示す破断側面図であり、これらの図においては図１に示したものと同一要素には同一符号を付している。
【００４２】
本発明に係る汚水排出装置１は、図４に示すように、電動モータ１６を内蔵するモータ部４０、汚水流入部１０及びインペラ２３を内蔵するポンプ部５０を上下方向に配してこれらを連結一体化することによってポンプ本体１Ａが構成されている。そして、電動モータ１６によって回転駆動される駆動軸４１は、汚水流入部１０及びポンプケース４を貫通して下方へ延び、そのポンプケース４内に臨む下端部にはインペラ２３が取り付けられ、汚水流入部１０内に臨む部位の下端部にはミキサー２７とカッター２８が取り付けられている。
【００４３】
而して、本発明に係る汚水排出装置１においては、ポンプケース４に形成された吐出ノズル９をその途中で２分割し、該吐出ノズル９のポンプケース４に属する部分（分割片９Ａとする）をポンプ本体１Ａと共に他の部分（分割片９Ｂとする）に対して上方へ引き上げ可能に構成した。尚、分割片９Ｂは、複数のビス４２によって汚水タンク２に取り付けられている。
【００４４】
ここで、吐出ノズル９の分割面は、図４に示すように側面視で径方向外方（図４の右方）に向かって斜め上方に傾斜する斜面とされ、図６に示すように平面視ではポンプケース４の外周の１点において引いた接線に平行な斜面とされている。
【００４５】
そして、図５に詳細に示すように、一方の分割片９Ａの端面には断面半円状の凹溝９ａがリング状に形成されており、他方の分割片９Ｂの端面には弾性体から成るシールリング４３が取り付けられており、該シールリング４３の端面にリング状に形成された断面半円状の突起４３ａは、分割片９Ａに形成された前記凹溝９ａに嵌合し、これによって両分割片９Ａ，９Ｂ間のシールが確実になされている。
【００４６】
又、図６に示すように、ポンプ本体１Ａの外周部の相対向する位置の上下には、半円状の凹部４４ａを有する一対の係合部４４が形成されている。そして、係合部４４の凹部４４ａは、垂直に立設された丸棒状のガイドバー４６にそれぞれ係合している。
【００４７】
以上において、本発明に係る汚水排出装置１は、前記第１発明に係るものと同様に作用し、汚水流入部１０に流れ込んだ汚水をインペラ２３によって昇圧した後に吐出ノズル９へと排出し、該吐出ノズル９に接続された不図示の排水管を経て不図示の下水道や浄化槽へと送る。
【００４８】
ところで、ハンカチ等の異物を誤って便器に落としてしまった場合、このハンカチ等の異物はカッター２８で切断することができないため、この異物がカッター２８やミキサー２７等に巻き付いてインペラ２３の回転を阻害し、汚水の正常な排出が不可能となる可能性がある。
【００４９】
而して、本発明に係る汚水排出装置１では、上記のような事態が発生した場合には、吐出ノズル９の分割片９Ｂを汚水タンク２側に残してポンプ本体１Ａを上方へ引き抜き、引き抜いたポンプ本体１Ａの流入口１２からカッター２８やミキサー２７等に巻き付いたハンカチ等の異物を容易に取り除くことができる。
【００５０】
即ち、ポンプ本体１Ａを上方へ引き抜くためには、先ず、ボルト３９を取り外してポンプ本体１Ａの汚水タンク２への取り付けを解除すれば、図７に示すように、把手３４を持ってポンプ本体１Ａをガイドバー４６に沿ってそのまま上方へ引き抜くことができる。このとき、吐出ノズル９は２分割されているため、ポンプ本体１Ａを一方の分割片９Ａと共に引き抜くことができ、他方の分割片９Ｂはそのまま汚水タンク２側に残される。
【００５１】
そして、異物を取り除いた後は、以上とは逆の手順でポンプ本体１Ａをガイドバー４６に沿って下げ、該ポンプ本体１Ａを汚水タンク２内に収容してこれをボルト３９によって固定することによって、当該汚水排出装置１を再び正常に使用することができる。このとき、吐出ノズル９の分割片９Ａと分割片９Ｂとはシールリング４３を介して互いに連結されるため、両分割片９Ａ，９Ｂ間のシールが確実になされ、両者間から汚水が漏れ出ることがない。特に、本実施の形態では、ポンプ本体１Ａが２本のガイドバー４６によって正確に位置決めされるため、両分割片９Ａ，９Ｂが高精度に位置決めされて接合され、両者間のシールが一層確実になされるとともに、シールリング４３の耐久性が高められる。
【００５２】
以上のように、本実施の形態では、吐出ノズル９をその途中で２分割し、該吐出ノズル９のポンプ本体１Ａ側に属する分割片９Ａをポンプ本体と共に他の分割片９Ｂに対して上方へ引き抜き可能に構成したため、カッター２８やミキサー２７等に巻き付いたハンカチ等の異物を容易に取り除くことができ、当該汚水排出装置１の排出機能を早期に復元することができる。
【産業上の利用可能性】
【００５３】
本発明は、水洗トイレや洗面台から汚水タンクに流入する汚水をポンプアップして外部に強制的に排出する汚水排出装置に異物の詰まりが生じた場合、その異物を容易に取り除くことができ、排出機能の早期の復元を可能とすることができる。
【図面の簡単な説明】
【００５４】
【図１】第１発明に係る汚水排出装置の断面図である。
【図２】第１発明に係る汚水排出装置のポンプユニットの引き抜き動作を示す断面図である。
【図３】第１発明に係る汚水排出装置のポンプユニットを引き抜いた後の状態を示す断面図である。
【図４】第２発明に係る汚水排出装置の断面図である。
【図５】図４のＡ部拡大詳細図である。
【図６】図４のＢ−Ｂ線断面図である。
【図７】第２発明に係る汚水排出装置のポンプ本体の引き抜き動作を示す破断側面図である。
【符号の説明】
【００５５】
１          汚水排出装置
１Ａ        ポンプ本体
２          汚水タンク
３          ハウジング
４          ポンプケース
８          ポンプ室
９          吐出ノズル
９Ａ，９Ｂ  分割片
１０        汚水流入部
１１        流出孔
１２        流入孔
１３        モータハウジング
１４        モータユニット
１５        モータケース
１６        電動モータ（モータ）
１９        中空軸（外軸）
２２        主軸（内軸）
２３        インペラ
２７        ミキサー
２８        カッター
３５        カバー
４０        モータ部
４１        駆動軸
４３        シールリング（シール部材）
４４        係合部
４６        ガイドバー
５０        ポンプ部
【図１】
2005126976.tif 000003
【図２】
2005126976.tif 000004
【図３】
2005126976.tif 000005
【図４】
2005126976.tif 000006
【図５】
2005126976.tif 000007
【図６】
2005126976.tif 000008
【図７】
2005126976.tif 000009